(57)【特許請求の範囲】
【請求項１】
内部にガスを収容するために上下方向へ延在する筒状のホルダー本体と、そのホルダー本体内に昇降可能に配置された落し蓋状のピストンと、そのピストンの周縁部とホルダー本体の内周面との間の隙間を気密にシールするシール機構とを具える乾式ガスホルダーの、前記ピストンの監視方法において、
前記ピストンにその中心から等距離の少なくとも３箇所にそれぞれ位置するように、所定の基準面から所定の高さに位置する所定の大きさの上面を有する標的台を設け、
前記ホルダー本体の上端部に、前記標的台までの高さ方向距離を非接触で計測する距離計を設け、
前記距離計で計測した当該距離計から前記少なくとも３箇所の標的台までの高さ方向距離に変化が生じた場合に、その変化が前記基準面と前記上面との高さの差に対応する急激な場合は前記ピストンに偏心が生じたと判断し、その変化が前記基準面と前記上面との高さの差よりも小さい穏やかな場合は前記ピストンに傾斜が生じたと判断することを特徴とする、乾式ガスホルダーのピストンの監視方法。
【請求項２】
前記標的台は前記上面がドーナツ状をなすものを含むことを特徴とする、請求項１記載の乾式ガスホルダーのピストンの監視方法。
【請求項３】
前記標的台は、前記ピストンの中心に対する半径方向と直交する方向であって互いに直角な方向へ前記上面が延在する２つのものを含むことを特徴とする、請求項１または２記載の乾式ガスホルダーのピストンの監視方法。
【請求項４】
前記標的台は、前記ピストンの中心に対する半径方向へ前記上面が延在する１つのものを含むことを特徴とする、請求項１または２項記載の乾式ガスホルダーのピストンの監視方法。
【請求項５】
前記標的台は、前記上面が階段状または斜面状をなすものを含むことを特徴とする、請求項１から４までの何れか１項記載の乾式ガスホルダーのピストンの監視方法。
【請求項６】
内部にガスを収容するために上下方向へ延在する筒状のホルダー本体と、そのホルダー本体内に昇降可能に配置された落し蓋状のピストンと、そのピストンの周縁部とホルダー本体の内周面との間の隙間を気密にシールするシール機構とを具える乾式ガスホルダーの、前記ピストンの監視装置において、
前記ピストンにその中心から等距離の少なくとも３箇所にそれぞれ位置するように設けられた、所定の基準面から所定の高さに位置する所定の大きさの上面を有する標的台と、
前記ホルダー本体の上端部に設けられて前記標的台までの高さ方向距離を非接触で計測する距離計と、
前記距離計で計測した当該距離計から前記少なくとも３箇所の標的台までの高さ方向距離に変化が生じた場合に、その変化が前記基準面と前記上面との高さの差に対応する急激な場合は前記ピストンに偏心が生じたと判断し、その変化が前記基準面と前記上面との高さの差よりも小さい穏やかな場合は前記ピストンに傾斜が生じたと判断して、その判断結果を出力するピストン偏心傾斜判断手段と、
を具えることを特徴とする、乾式ガスホルダーのピストンの監視装置。
【請求項７】
前記標的台は前記上面がドーナツ状をなすものを含むことを特徴とする、請求項６記載の乾式ガスホルダーのピストンの監視装置。
【請求項８】
前記標的台は、前記ピストンの中心に対する半径方向と直交する方向であって互いに直角な方向へ前記上面が延在する２つのものを含むことを特徴とする、請求項６または７記載の乾式ガスホルダーのピストンの監視装置。
【請求項９】
前記標的台は、前記ピストンの中心に対する半径方向へ前記上面が延在する１つのものを含むことを特徴とする、請求項６または７記載の乾式ガスホルダーのピストンの監視装置。
【請求項１０】
前記標的台は、前記上面が階段状または斜面状をなすものを含むことを特徴とする、請求項６から９までの何れか１項記載の乾式ガスホルダーのピストンの監視装置。
【発明の詳細な説明】
【技術分野】
【０００１】
本発明は、乾式ガスホルダーに関し、特に、乾式ガスホルダー内に昇降可能に設置されたピストンを水平に維持すべく、ピストンの偏心および傾斜を監視するための方法および装置に関するものである。
【背景技術】
【０００２】
製鉄所等において高炉やコークス炉および製鋼等で発生した可燃性ガスは、加熱炉等で燃料として利用されるが、その可燃性ガスの発生量には変動がある。そこで、余った可燃性ガスの貯蔵および供給等のために、貯蔵量可変のガスホルダーが用いられている。
【０００３】
ガスホルダーには通常、湿式と乾式とがあり、湿式ガスホルダーの場合は、上下方向へ延在する筒状のホルダー本体と、そのホルダー本体内に昇降可能に配置されてホルダー本体内の水等のシール液に縦長の側壁部を浸漬された伏せたカップ状のピストンとを具え、そのピストン内に貯蔵したガスの圧力によりホルダー本体内でピストンが昇降することで貯蔵量を増減させ、ピストンの縦長の側壁部がシール液に浸漬された状態で昇降することで貯蔵するガスの漏れ出しを防止している。このため、ピストンはその縦長の側壁部をホルダー本体で支持されるので構造的に傾斜しにくい。
【０００４】
一方、乾式ガスホルダーの場合は、内部にガスを収容するために上下方向へ延在する筒状のホルダー本体と、そのホルダー本体内に昇降可能に配置された落し蓋状のピストンと、そのピストンの周縁部とホルダー本体の内周面との間の隙間を気密にシールするシール機構とを具え、ホルダー本体内に貯蔵したガスの圧力によりホルダー本体内でピストンが昇降することで貯蔵量を増減させ、ピストンの周縁部とホルダー本体の内周面との間をシール機構で気密にシールすることで貯蔵するガスの漏れ出しを防止している。
【０００５】
かかる乾式ガスホルダーのピストンのシール機構にも湿式と乾式とがあり、湿式シール機構では、ピストンの周縁部に設けられてホルダー本体の内周面との間にシール液を溜めるシール液漕と、そのシール液漕の底部に液密に移動可能に配置され、ホルダー本体の内周面に押し付けられて摺接する滑り板あるいはシールゴムとを有し、ホルダー本体の上端部付近からその内周面に沿って流下されるシール液がシール液漕内に溜まり、ピストンの周縁部とホルダー本体の内周面との間を気密にシールしつつ、ホルダー本体の内周面と滑り板あるいはシールゴムとの僅かな隙間からホルダー本体の内周面に沿って流れ落ちて回収され、再びホルダー本体内に供給される。なお、シール液の代わりにグリスを用いるものもある。
【０００６】
一方、乾式シール機構では、ピストンの周縁部とホルダー本体の内周面との間に周方向へ延在するゴム等の弾性体製の幕が、上下方向に十分な長さを余らせて断面Ｕ字状に張り渡されており、ピストンの昇降に伴ってその幕のＵ字の折り返し部が移動することで、その幕がピストンの周縁部と本体の内周面との間を気密にシールしている。
【０００７】
しかしながら乾式ガスホルダーにおいては、何れのシール機構もピストンの周縁部とホルダー本体の内周面との間にある程度の隙間を必要とし、しかもピストンが縦長の側壁部を持たないため、ピストンの周縁部の周方向に異なる位置間でのホルダー本体の内周面との間の摩擦力の相違等に起因してピストンが傾斜する場合があり、ピストンが傾斜すると、上がった部分および下がった部分でピストンの周縁部とホルダー本体の内周面との間の隙間が大きくなるとともに、湿式シール機構では、周縁部の上がった部分から下がった部分へシール液が移動して上がった部分でシール液が不足し、ガス漏れが生ずる可能性があり、またシール液の代わりにグリスを用いるものでも、その隙間の大きい部分でグリスが不足してガス漏れが生ずる可能性があり、一方、乾式シール機構では、弾性体製の幕が無
理な変形を強いられて部分的に損傷し、その損傷部分からガス漏れが生ずる可能性がある。そして何れのシール機構でも、周縁部の下がった部分がホルダー本体の内周面を部分的に強く押圧するため、ホルダー本体の内周面が部分的に損傷し、その損傷部分からガス漏れが生ずる可能性がある。
【０００８】
そこで従来から、乾式ガスホルダーのピストンの傾斜の監視装置が種々提案されており、例えば特許文献１では、ホルダー本体の頂部に設けた３台以上のレーザー式距離計でピストンの周縁部の周方向に異なる個所までの距離を計測し、それらの計測結果からピストンの傾斜を監視して表示装置で表示している。また、例えば特許文献２では、ピストンの周縁部の周方向に異なる３個所以上でのシール液漕内のシール液の液面の高さを計測し、それらの計測結果からピストンの傾斜を監視して表示装置で表示している。
【先行技術文献】
【特許文献】
【０００９】
【特許文献１】特開２００６−０５８２０５号公報
【特許文献２】特開２００６−２７５２６２号公報
【発明の概要】
【発明が解決しようとする課題】
【００１０】
しかしながら前述したような従来の装置は何れも、ピストンに傾斜が生じた際にその傾斜を表示するものであるため、場合によってはピストンの傾斜が大きくなりすぎて、その傾斜を発見してからピストンを平坦な状態に戻すまでに時間がかかり過ぎて不具合を招いてしまう可能性がある。
【００１１】
それゆえ本発明は、ピストンの傾斜のみならず偏心も監視することで前記従来技術の課題を有利に解決したピストンの監視方法および装置を提供することを目的とする。
【課題を解決するための手段】
【００１２】
前記目的を達成する本発明の乾式ガスホルダーのピストンの監視方法は、
内部にガスを収容するために上下方向へ延在する筒状のホルダー本体と、そのホルダー本体内に昇降可能に配置された落し蓋状のピストンと、そのピストンの周縁部とホルダー本体の内周面との間の隙間を気密にシールするシール機構とを具える乾式ガスホルダーの、前記ピストンの監視方法において、
前記ピストンにその中心から等距離の少なくとも３箇所にそれぞれ位置するように、所定の基準面から所定の高さに位置する所定の大きさの上面を有する標的台を設け、
前記ホルダー本体の上端部に、前記標的台までの高さ方向距離を非接触で計測する距離計を設け、
前記距離計で計測した当該距離計から前記少なくとも３箇所の標的台までの高さ方向距離に変化が生じた場合に、その変化が前記基準面と前記上面との高さの差に対応する急激な場合は前記ピストンに偏心が生じたと判断し、その変化が前記基準面と前記上面との高さの差よりも小さい穏やかな場合は前記ピストンに傾斜が生じたと判断することを特徴とするものである。
【００１３】
また、前記目的を達成する本発明の乾式ガスホルダーのピストンの監視装置は、
内部にガスを収容するために上下方向へ延在する筒状のホルダー本体と、そのホルダー本体内に昇降可能に配置された落し蓋状のピストンと、そのピストンの周縁部とホルダー本体の内周面との間の隙間を気密にシールするシール機構とを具える乾式ガスホルダーの、前記ピストンの監視装置において、
前記ピストンにその中心から等距離の少なくとも３箇所にそれぞれ位置するように設けられた、所定の基準面から所定の高さに位置する所定の大きさの上面を有する標的台と、
前記ホルダー本体の上端部に設けられて前記標的台までの高さ方向距離を非接触で計測する距離計と、
前記距離計で計測した当該距離計から前記少なくとも３箇所の標的台までの高さ方向距離に変化が生じた場合に、その変化が前記基準面と前記上面との高さの差に対応する急激な場合は前記ピストンに偏心が生じたと判断し、その変化が前記基準面と前記上面との高さの差よりも小さい穏やかな場合は前記ピストンに傾斜が生じたと判断して、その判断結果を出力するピストン偏心傾斜判断手段と、
を具えることを特徴とするものである。
【発明の効果】
【００１４】
本発明の乾式ガスホルダーのピストンの監視方法および装置によれば、ホルダー本体の上端部に設けられた距離計で計測した、当該距離計から、ピストンの中心から等距離の少なくとも３箇所の位置でピストンにそれぞれ設けられた、所定の基準面から所定の高さに位置する所定の大きさの上面を有する標的台までの高さ方向距離に変化が生じた場合に、その変化が前記基準面と前記上面との高さの差に対応する急激な場合は前記ピストンに偏心が生じたと判断し、その変化が前記基準面と前記上面との高さの差よりも小さい穏やかな場合は前記ピストンに傾斜が生じたと判断するので、ピストンの傾斜のみならず、ピストンの傾斜の原因となる可能性があるピストンの偏心の発生も監視し得て、ピストンの傾斜の発生を未然に防止することができ、また例えピストンの傾斜が発生しても不具合を招く前に速やかに対応することができる。
【００１５】
なお、本発明の乾式ガスホルダーのピストンの監視方法および装置においては、前記標的台は前記上面がドーナツ状をなすものを含むものであると好ましい。このようにすれば、標的台の中央穴内の基準面とその穴の周囲の上面との段差の存在により、距離計が標的台の中央穴内の基準面を計測している間の穏やかな距離変化はピストンの傾斜と考えられ、距離計が標的台の中央穴内の基準面の計測から穴の周囲の上面の計測に移った時の急激な距離変化はピストンの偏心と考えられるので、ピストンの傾斜と偏心とを容易かつ確実に判別することができる。ここで、距離計は、標的台の中央穴内に露出するピストン表面を基準面として計測しても良い。
【００１６】
また、本発明の乾式ガスホルダーのピストンの監視方法および装置においては、前記標的台は、前記ピストンの中心に対する半径方向と直交する方向であって互いに直角な方向へ前記上面が延在する２つのものを含むものであると好ましい。このようにすれば、それら接線方向に上面が延在する２つの標的台の何れで急激な距離変化があったかを識別することにより、ピストンの偏心方向を計測することができる。
【００１７】
また、本発明の乾式ガスホルダーのピストンの監視方法および装置においては、前記標的台は、前記ピストンの中心に対する半径方向へ前記上面が延在する１つのものを含むものであると好ましい。このようにすれば、その半径方向に上面が延在する標的台で急激な距離変化があったかを識別することにより、ピストンの回転を計測することができる。
【００１８】
さらに、本発明の乾式ガスホルダーのピストンの監視方法および装置においては、前記標的台は、前記上面が階段状または斜面状をなすものを含むものであると好ましい。このようにすれば、その階段状または斜面状の上面でピストンの偏心量を段階的または連続的に計測することができる。
【図面の簡単な説明】
【００１９】
【図１】本発明の乾式ガスホルダーのピストンの監視方法の一実施形態の実施に用いる、本発明の乾式ガスホルダーのピストンの監視装置の一実施形態を透視状態の乾式ガスホルダーとともに示す略線図である。
【図２】（ａ）および（ｂ）は、上記実施形態のホルダーのピストンの監視装置に用い得る標的台の一実施形態を示す斜視図および断面図である。
【図３】（ａ）および（ｂ）は、上記実施形態のホルダーのピストンの監視装置に用い得る標的台の他の一実施形態を示す斜視図および断面図である。
【図４】（ａ）および（ｂ）は、上記実施形態のホルダーのピストンの監視装置に用い得る標的台のさらに他の一実施形態を示す斜視図および断面図である。
【発明を実施するための形態】
【００２０】
以下、この発明の実施の形態を図面に基づき詳細に説明する。ここに、図１は、本発明の乾式ガスホルダーのピストンの監視方法の一実施形態の実施に用いる、本発明の乾式ガスホルダーのピストンの監視装置の一実施形態を透視状態の乾式ガスホルダーとともに示す略線図、また図２（ａ）および（ｂ）は、上記実施形態のホルダーのピストンの監視装置に用い得る標的台の一実施形態を示す斜視図および断面図であり、図中符号１は乾式ガスホルダーを示す。
【００２１】
ここにおける乾式ガスホルダー１は、内部にガスＧを収容するために上下方向へ延在する筒状のホルダー本体２と、そのホルダー本体２内に昇降可能に配置された落し蓋状をなす円盤状のピストン３と、そのピストン３の周縁部とホルダー本体２の内周面との間の隙間を気密にシールするシール機構４とを具え、ホルダー本体２内に貯蔵したガスＧの圧力によりホルダー本体２内でピストン３が昇降することで貯蔵量を増減させ、ピストン３の周縁部とホルダー本体２の内周面との間をシール機構４で気密にシールすることで貯蔵するガスＧの漏れ出しを防止している。ここで、シール機構４は、前述した乾式シール機構および湿式シール機構の何れであってもよい。
【００２２】
この乾式ガスホルダー１において、本実施形態の乾式ガスホルダーのピストンの監視装置では、図１に示すように、ピストン３の中心から等距離のそのピストン３の少なくとも３箇所の位置、例えば図示例ではピストン３の周縁部に設けたシール機構４上の、周方向に互いに等間隔な３箇所の位置にそれぞれ、基準面とする後述の支持板５ｃの表面から所定高さで所定の大きさの上面５ａを有する標的台５を設置する。
【００２３】
また本実施形態の乾式ガスホルダーのピストンの監視装置では、例えばホルダー本体２の上端に位置する天井２ａの下面に、ピストン３の周縁部の互いに周方向に離間した少なくとも３点を通る基準平面が水平になりかつ、ピストン３の周縁部がホルダー本体２の内周面から水平な各方向に等距離離間し、ピストン３の垂直中心軸線周りの回転方向の向きが所定の向きとなった初期位置にピストン３がある状態で、ピストン３上の３つの標的台５の真上にそれぞれ位置させて、標的台５までの高さ方向距離を非接触で計測する例えばレーザー式の３台の距離計６を下向きに設置する。
【００２４】
さらに本実施形態の乾式ガスホルダーのピストンの監視装置では、それら３台の距離計６の出力信号を、ピストン偏心傾斜判断手段としての、例えば通常のコンピュータを有する判定装置７に入力し、その判定装置７の出力信号を、例えば通常のディスプレイパネルを持つ表示装置８に入力して、その表示装置８のディスプレイパネルに判定装置７の出力信号に基づく情報を表示させる。
【００２５】
ここで、３つの標的台５は例えば何れも、図２に示すように、ドーナツ状の上記上面５ａと、その上面を上端部で支持する略円筒状の側壁部５ｂと、その側壁部の下端部を支持する円板状の上記支持板５ｃとを有する構成のものとすることができ、この標的台５の上面５ａは例えば、ピストン３の上記基準平面に平行に、かつその基準平面から３００〜６００ｍｍの高さに突出して位置し、外径が４００〜８００ｍｍあり、内径５０〜２００ｍｍの中央穴を持っている。また支持板５ｃは例えば、厚さ１０ｍｍで外径が８００ｍｍとされている（乾式シール機構（ゴム等の弾性体製の膜）の場合は、偏心量許容値が比較的大きくなるため、内径が大きくなる）。
【００２６】
各距離計６は、真下へ向けてレーザー光を発光し、そのレーザー光はピストン３が上記初期位置にある状態では、真下の標的台５の上面５ａの中央穴の中心を通り、その下の支持板５ｃの基準面とする表面で反射されて距離計６によって受光され、各距離計６はその受光したレーザー光と距離計内部の参照光との位相差あるいは発光時と受光時との時間差等に基づき、距離計６から支持板５ｃまでの高さ方向距離を計測して、その距離を示す信号を判定装置７に入力する。
【００２７】
しかして、ピストン３が上記初期位置から水平なまま偏心または垂直軸線周りに回転した場合には、その偏心または回転量が５０ｍｍを超えると、３つのうちの何れかの標的台５で距離計６からのレーザー光が真下の標的台５の上面５ａで反射されて距離計６によって受光され、その距離計６が出力する高さ方向距離は、距離計６から支持板５ｃの表面までのものから、距離計６から上面５ａまでのものに、それらの距離差分変化するため、急激に変化する。
【００２８】
また、ピストン３が上記初期位置から少しずつ傾斜していった場合には、３つのうちの何れかの標的台５で、距離計６からのレーザー光が真下の標的台５の支持板５ｃの表面で反射されて距離計６によって受光され、距離計６から支持板５ｃまでの高さ方向距離が計測された状態のまま、その高さ方向距離が上記の距離差分よりも小さく穏やかに変化する。
【００２９】
そこで、この実施形態の乾式ガスホルダーのピストンの監視装置では、判定装置７は、この実施形態の乾式ガスホルダーのピストンの監視方法に従い、上記のような３台の距離計６からの信号を入力してそれらの信号の変化状態を所定間隔、例えば１０分間隔で調べ、３台の距離計６の何れかで計測した当該距離計６からその真下の標的台５までの高さ方向距離に前回の測定結果から変化が生じた場合に、その変化が上記のように急激な場合は計測位置が支持板５ｃの表面から上面５ａに移ったと考えられるのでピストン３に偏心または回転が生じたと判断し、その変化が上記のように穏やかな場合は計測位置が支持板５ｃの表面に維持されていると考えられるのでピストン３に傾斜が生じたと判断する。
【００３０】
そして判定装置７は、上記の判断結果および各距離計６の計測した高さ方向距離を示す信号を表示装置８に出力し、表示装置８は、その判定装置７の出力信号に基づく、ピストン３の変位が偏心または回転か傾斜かを示す判断結果と、各距離計６の計測した高さ方向距離との情報をディスプレイパネルに表示する。
【００３１】
従って、この実施形態の乾式ガスホルダーのピストンの監視方法および装置によれば、ホルダー本体２の上端部に設けられた距離計６で計測した、当該距離計６から、ピストン３の中心から等距離の少なくとも３箇所の位置でピストン３にそれぞれ設けられた標的台５までの高さ方向距離に変化が生じた場合に、その変化が距離計６から支持板５ｃの表面まで距離と距離計６から上面５ａまで距離との差分に対応する急激な場合はピストン３に偏心が生じたと判断し、その変化が上記差分より小さい穏やかな場合はピストン３に傾斜が生じたと判断するので、ピストン３の傾斜のみならず、ピストン３の傾斜の原因となる可能性があるピストン３の偏心の発生も監視し得て、シール機構４の滑り板やシールゴムをホルダー本体２の内周面に押し付ける図示しないシリンダ等の既知の手段を用いてそのピストン３の偏心をなくすことで、ピストン３の傾斜の発生を未然に防止することができ、また例えピストン３の傾斜が発生しても不具合を招く前に速やかに対応することができる。
【００３２】
しかもこの実施形態の乾式ガスホルダーのピストンの監視方法および装置によれば、標的台５の上面５ａはドーナツ状をなすものであることから、標的台の中央穴内の支持板５ｃの表面とその穴の周囲の上面５ａとの段差の存在により、距離計６が中央穴内の支持板５ｃの表面を計測している間の穏やかな距離変化はピストン３の傾斜と考えられ、距離計６が中央穴内の支持板５ｃの表面の計測から穴の周囲の上面５ａの計測に移った時の急激な距離変化はピストン３の偏心または回転と考えられるので、ピストン３の傾斜と偏心または回転とを容易かつ確実に判別することができ、ピストン３の昇降を案内する案内構造がピストン３の回転を規制している場合には、ピストン３の回転は生じないので、ピストン３の傾斜と偏心とを容易かつ確実に判別することができる。
【００３３】
図３（ａ）および（ｂ）は、上記実施形態のホルダーのピストンの監視方法および装置に用い得る標的台の他の一実施形態を示す斜視図および断面図である。ここにおける標的台５は、同心円の円形階段状の上面５ａと、その上面を持つ略円筒状の側壁部５ｂと、その側壁部の下端部を支持するとともに基準面としての表面を持つ円板状の支持板５ｃとを有する構成のものとされている。先の実施形態の標的台５に代えてまたは加えて、この実施形態の標的台５を用いれば、その階段状の上面５ａでピストン３の偏心量を段階的に計測することができるので、ピストン３の状態をより詳細に知ることができる。なお、この標的台５の上面５ａは、円形階段状でなく傾斜面を持つ倒立裁頭円錐状であっても良く、この場合にはピストン３の偏心量を連続的に計測することができるので、ピストン３の状態をより詳細に知ることができる。
【００３４】
図４（ａ）および（ｂ）は、上記実施形態のホルダーのピストンの監視方法および装置に用い得る標的台のさらに他の一実施形態を示す斜視図および断面図である。ここにおける標的台５は、直線的に延在する階段状の上面５ａと、その上面を持つ略直方体状の側壁部５ｂと、その側壁部の下端部を支持する矩形状の支持板５ｃとを有する構成のものとされている。先の何れかの実施形態の標的台５に代えてまたは加えて、この実施形態の標的台５を用いれば、その階段状の上面５ａでピストン３の偏心量を段階的に計測することができるので、ピストン３の状態をより詳細に知ることができる。なお、この標的台５の上面５ａは、階段状でなく傾斜面状であっても良く、この場合にはピストン３の偏心量を連続的に計測することができるので、ピストン３の状態をより詳細に知ることができる。
【００３５】
そして、この標的台５を２つ、上記基準位置にあるピストン３上で支持板５ｃがそのピストン３の中心に対する半径方向と直交して周縁部の接線方向へ延在し、かつ互いに直角な水平方向へ延在するように配置すれば、ピストン３が何れかの標的台５の幅方向に偏心するとその標的台５の支持板５ｃの表面から上面５ａへレーザー光が外れて急激な距離変化が生ずるので、それら接線方向の２つの標的台５の何れで急激な距離変化があったか、あるいは両方で急激な距離変化があったかを識別することにより、ピストン３の偏心方向を計測することができるとともに、急激な距離変化がなかった方の標的台５での距離変化により、ピストン３の偏心量を計測することができる。
【００３６】
また、この標的台５を１つ、上記基準位置にあるピストン３上で支持板５ｃがそのピストン３の中心に対する半径方向へ延在し、かつ水平方向へ延在するように配置すれば、ピストン３が回転するとその半径方向の標的台５の支持板５ｃの表面から上面５ａへレーザー光が外れて急激な距離変化が生ずるので、その急激な距離変化があったことを識別することにより、ピストン３の回転を計測することができる。
【００３７】
以上、図示例に基づき説明したが、この発明は上述の例に限られるものでなく、所要に応じて特許請求の範囲の記載範囲内で適宜変更し得るものであり、例えば、標的台５はピストン３上に設置しても良く、その場合には支持板５ｃを省略してピストン３の表面を基準面とし、その表面に対する距離を計測するようにしても良い。また、距離計６はレーザー光の反射を用いるものでなく、超音波やマイクロ波等を標的台に向けて放射し、それが反射して戻る時間を計測するものでも良い。そして、標的台５の高さや大きさや配置数や配置位置等は、乾式ガスホルダー１の大きさや計測精度等に応じて適宜変更することができる。
【産業上の利用可能性】
【００３８】
かくして本発明の乾式ガスホルダーのピストンの監視方法および装置によれば、ホルダー本体の上端部に設けられた距離計で計測した、当該距離計から、ピストンの中心から等距離の少なくとも３箇所の位置でピストンにそれぞれ設けられた、所定の基準面から所定の高さに位置する所定の大きさの上面を有する標的台までの高さ方向距離に変化が生じた場合に、その変化が前記基準面と前記上面との高さの差に対応する急激な場合は前記ピストンに偏心が生じたと判断し、その変化が前記基準面と前記上面との高さの差よりも小さい穏やかな場合は前記ピストンに傾斜が生じたと判断するので、ピストンの傾斜のみならず、ピストンの傾斜の原因となる可能性があるピストンの偏心の発生も監視し得て、ピストンの傾斜の発生を未然に防止することができ、また例えピストンの傾斜が発生しても不具合を招く前に速やかに対応することができる。
【符号の説明】
【００３９】
１  乾式ガスホルダー
２  ホルダー本体
２ａ  天井
３  ピストン
４  シール機構
５  標的台
５ａ  上面
５ｂ  側壁部
５ｃ  支持板
６  距離計
７  判定装置
８  表示装置
Ｇ  ガス
【図１】
0005807745.tif 000002
【図２】
0005807745.tif 000003
【図３】
0005807745.tif 000004
【図４】
0005807745.tif 000005